(57)【要約】【課題】床下空間が比較的狭い床構造においても空調空気の流路を自由に形成可能であり、施工性、コストの面で有利なフロア部材及びそれを用いたフロアの空調構造を提供する。【解決手段】空調空気の流路を構成するフロア部材１０は、上板２１と、上板２１と対向する下板３１と、上板２１と下板３１を連結する支持部２２３２とを有するベース材２０３０と、上板２１と下板３１との間に形成された側方空間を仕切る少なくとも１つの側板材４０と、を備える。【選択図】図１
2018028423.tif 000002
【特許請求の範囲】
【請求項１】
空調空気の流路を構成するフロア部材であって、
上板と、前記上板と対向する下板と、前記上板と前記下板を連結する支持部とを有するベース材と、
前記上板と前記下板との間に形成された側方空間を仕切る少なくとも１つの側板材と、を備えることを特徴とするフロア部材。
【請求項２】
前記ベース材が、
前記上板と、前記上板から下方に延在する上部支持部とを有する上部ベース材と、
前記上板と対向する前記下板と、前記下板から上方に延在して前記上部支持部と連結される下部支持部とを有する下部ベース材と、を含む
ことを特徴とする請求項１に記載のフロア部材。
【請求項３】
前記上部支持部及び前記下部支持部が、そのいずれか一方の先端に設けられた突起部と、他方の先端に設けられた孔部とが嵌合されることにより連結されることを特徴とする請求項２に記載のフロア部材。
【請求項４】
隣接するフロア部材同士を連結する側部連結材をさらに備えることを特徴とする請求項１から３のいずれか１項に記載のフロア部材。
【請求項５】
前記上板を覆う天板と、前記天板から下方に延在し前記上部支持部に挿入され、又は前記上部支持部を通して前記下部支持部まで挿入される天板支持部とを有する天板材をさらに備えることを特徴とする請求項２から４のいずれか１項に記載のフロア部材。
【請求項６】
前記下板の下方に延在する脚部をさらに備えることを特徴とする請求項１から５のいずれか１項に記載のフロア部材。
【請求項７】
前記側板材がその上辺及び下辺に凸部又は凹部を有し、前記上板及び前記下板が前記凸部又は前記凹部に対応する凹部又は凸部を有することを特徴とする請求項１から６のいずれか１項に記載のフロア部材。
【請求項８】
前記下板が、前記空調空気を床下空間に流通させるため、切り抜き可能に形成された空気孔部を有することを特徴とする請求項１から７のいずれか１項に記載のフロア部材。
【請求項９】
フロアの空調構造であって、
床上に配置された、請求項１から８のいずれか１項に記載の複数のフロア部材を備え、
空調空気の流路を自在に設定可能なように、前記複数のフロア部材がその前記側方空間において前記側板材によって任意に仕切られることを特徴とするフロアの空調構造。
【請求項１０】
前記複数のフロア部材がＬ字、Ｔ字及び十字の少なくともいずれか１つのコーナーを構成することを特徴とする請求項９に記載のフロアの空調構造。
【請求項１１】
前記複数のフロア部材を位置決めする脚部連結材をさらに備えることを特徴とする請求項９又は１０に記載のフロアの空調構造。
【発明の詳細な説明】
【技術分野】
【０００１】
本発明は、フロア部材及びそれを用いたフロアの空調構造に関する。
【背景技術】
【０００２】
従来、床下から床面を温め（又は、冷却し）、床面からの輻射熱（冷輻射）により室内の空調を行う輻射空調が知られている。この空調構造は、例えば床下に配置したダクト等により空調空気を床下に送り、床面を温めその輻射熱等を利用し、さらには空調空気の一部を室内にも送って室内の空調を行うものである（例えば、特許文献１参照）。
【０００３】
特許文献１には、床下空間に空調空気を供給して室内の空調を行うフロアの空調構造に関し、床下空間が比較的狭くても、効率よくフロアの空調が行え、また施工性及び経済性にも優れたフロアの空調構造を提供することを課題とし、床ダクト材の底板部に、フロア部材の脚部が挿通する脚孔部を設け、床ダクト材を室内の床基礎面から所定の高さ位置に配設し、この床ダクト材の底板部と床基礎面との間に空間部を形成し、床基礎面上に、フロア部材を縦方向及び横方向に並べて設置するとともに、床ダクト材が配置された個所にフロア部材を設置する際には、このフロア部材の脚部を床ダクト材の脚孔部に挿通させて床基礎面に設置し、床ダクト材に空調空気を導入して空調を行う技術が開示されている。
【０００４】
しかしながら、特許文献１では、長手方向に所定の長さを有する下側の床ダクト材にブロック単位のフロア部材を上側から配置していくことから、例えば、Ｌ字、Ｔ字又は十字などのコーナーについては当該形状の床ダクト材を用意しなければならず、施工性、コストの面で不利であるという問題があった。
【先行技術文献】
【特許文献】
【０００５】
【特許文献１】特開２０１３−１８５７２５号公報
【発明の概要】
【発明が解決しようとする課題】
【０００６】
本発明は、上述の課題に鑑みてなされたものであり、床下空間が比較的狭い床構造においても空調空気の流路を自由に形成可能であり、施工性、コストの面で有利なフロア部材及びそれを用いたフロアの空調構造を提供することを目的とする。
【課題を解決するための手段】
【０００７】
本発明は、前述の目的を達成するために、以下の構成によって把握される。
（１）本発明の第１の観点は、空調空気の流路を構成するフロア部材であって、上板と、前記上板と対向する下板と、前記上板と前記下板を連結する支持部とを有するベース材と、前記上板と前記下板との間に形成された側方空間を仕切る少なくとも１つの側板材と、を備えることを特徴とする。
【０００８】
（２）上記（１）の構成において、前記ベース材が、前記上板と、前記上板から下方に延在する上部支持部とを有する上部ベース材と、前記上板と対向する前記下板と、前記下板から上方に延在して前記上部支持部と連結される下部支持部とを有する下部ベース材と、を含む。
【０００９】
（３）上記（２）の構成において、前記上部支持部及び前記下部支持部が、そのいずれか一方の先端に設けられた突起部と、他方の先端に設けられた孔部とが嵌合されることにより連結される。
【００１０】
（４）上記（１）から（４）のいずれか１つの構成において、隣接するフロア部材同士を連結する側部連結材をさらに備える。
【００１１】
（５）上記（２）から（４）のいずれか１つの構成において、前記上板を覆う天板と、前記天板から下方に延在し前記上部支持部に挿入され、又は前記上部支持部を通して前記下部支持部まで挿入される天板支持部とを有する天板材をさらに備える。
【００１２】
（６）上記（１）から（５）のいずれか１つの構成において、前記下板の下方に延在する脚部をさらに備える。
【００１３】
（７）上記（１）から（６）のいずれか１つの構成において、前記側板材がその上辺及び下辺に凸部又は凹部を有し、前記上板及び前記下板が前記凸部又は前記凹部に対応する凹部又は凸部を有する。
【００１４】
（８）上記（１）から（７）のいずれか１つの構成において、前記下板が、前記空調空気を床下空間に流通させるため、切り抜き可能に形成された空気孔部を有する。
【００１５】
（９）本発明の第２の観点は、フロアの空調構造であって、床上に配置された、上記（１）から（８）のいずれか１つに記載の複数のフロア部材を備え、空調空気の流路を自在に設定可能なように、前記複数のフロア部材がその前記側方空間において前記側板材によって任意に仕切られることを特徴とする。
【００１６】
（１０）上記（９）の構成において、前記複数のフロア部材がＬ字、Ｔ字及び十字の少なくともいずれか１つのコーナーを構成する。
【００１７】
（１１）上記（９）又は（１０）の構成において、前記複数のフロア部材を位置決めする脚部連結材をさらに備える。
【発明の効果】
【００１８】
本発明によれば、床下空間が比較的狭い床構造においても空調空気の流路を自由に形成可能であり、施工性、コストの面で有利なフロア部材及びそれを用いたフロアの空調構造を提供することができる。
【図面の簡単な説明】
【００１９】
【図１】本発明の実施形態に係るフロアの空調構造の一例を示す斜視図である。
【図２】本発明の実施形態に係るフロア部材の一例を示す図である。
【図３】上部ベース材を示す図であって、（ａ）は表側、（ｂ）は裏側を、それぞれ示す。
【図４】下部ベース材を示す図であって、（ａ）は表側、（ｂ）は裏側を、それぞれ示す。
【図５】側板材を示す図であって、（ａ）は外側を、（ｂ）は内側を、それぞれ示す。
【図６】側部連結材を示す図である。
【図７】下部連結材を示す図であって、（ａ）は下部連結材のみを、（ｂ）は下部連結材にパッキン材を付与した状態を、それぞれ示す。
【図８】天板材を示す図である。
【図９】複数のフロア部材によってＬ字コーナーを形成した例を示す図であって、（ａ）は表側、（ｂ）は裏側を、それぞれ示す。
【図１０】複数のフロア部材によってＴ字コーナーを形成した例を示す図であって、（ａ）は表側、（ｂ）は裏側を、それぞれ示す。
【図１１】複数のフロア部材によって十字コーナーを形成した例を示す図であって、（ａ）は表側、（ｂ）は裏側を、それぞれ示す。
【図１２】フロア部材を敷き詰めて構成したフロアの空調構造の配置例を示す図である。
【図１３】空調空気の流れを説明する図である。
【発明を実施するための形態】
【００２０】
＜実施形態＞
以下、添付図面を参照して、本発明の実施形態について詳細に説明するが、各図において、同一符号は同一又は対応する部分を示す。また、本発明は、以下の説明からも明らかなようにこれらの実施形態に限定されるものではなく、発明の要旨の範囲内において当業者であれば種々の変形が可能である。
【００２１】
＜フロアの空調構造の全体構成＞
まず、本発明の実施形態に係るフロアの空調構造１の一例を、図１を用いて説明する。図１では、フロア部材１０と、隣接するフロア部材１０を位置決めする脚部連結材８０とを備えるフロアの空調構造１を示している。
【００２２】
フロア部材１０は、詳しくは後述するように、上部ベース材２０と、下部ベース材３０と、側板材４０と、側部連結材５０と、下部連結材６０、天板材７０とを備えている。フロアの空調構造１は、このフロア部材１０を複数個組み合わせることによって構成され、フロア部材１０の上部ベース材２０と下部ベース材３０の間に形成される四方の側方空間を側板材４０によって任意に仕切ることにより、空調空気の流路を自在に設定することができる。
【００２３】
図１では、４つのフロア部材１０をもってＴ字コーナーを構成した例を示している。複数のフロア部材１０は、後述するように、Ｔ字のほかにＬ字や十字のコーナーを任意に設定可能である。ここでは平面形状が略正方形のフロア部材１０を示しているが、略長方形などとしてもよく、さらには四角形以外の多角形、略円形、略楕円形、略長円形などであってもよい。
【００２４】
なお、天板材７０は上部ベース材２０を覆うように配置されるが、図１では、説明の便宜上、天板材７０が上部ベース材２０に挿入されていく過程が目視できるように、図中左側から右側に向かって、天板材７０の挿入前、挿入中、挿入後を、それぞれ図示している。挿入にあたっては、天板材７０の四隅に設けられている天板支持部７２が、上部ベース材２０の四隅に設けられている天板挿入孔２２２（後述）に挿入される。
【００２５】
脚部連結材８０は、その四隅に、下部ベース材３０の脚部３３（後述）が嵌入される脚挿入口８１を有している。脚部３３が脚挿入口８１に挿入されることにより、フロア部材１０の位置決めが確定され、敷設後のズレを防止することができる。なお、フロアの空調構造１は、脚部連結材８０を設けずに、複数のフロア部材１０のみを列設することによって構成しても差し支えない。
【００２６】
＜フロア部材＞
次に、フロア部材１０について、図２から図８を用いて詳しく説明する。図２は、１つのフロア部材１０を示しており、上下方向に、天板材７０、上部ベース材２０及び下部ベース材３０が連結されている。上部ベース材２０と下部ベース材３０は、上部ベース材２０の上板２１の四隅端部に設けられた上部支持部２２と、下部ベース材３０の下板３１の四隅端部に設けられた下部支持部３２とによって連結されている。天板材７０は、その天板７１の四隅端部に設けられた天板支持部７２が、上部ベース材２０の上方から、上部支持部２２と下部支持部３２に矢印方向に挿入されることにより連結される。上部支持部２２と下部支持部３２の外面には、隣接するフロア部材１０を連結する側部連結材５０が挿入されている。そして、上部ベース材２０と下部ベース材３０によって形成される側方空間には側板材４０が嵌合されており、空調空気の流路を構成する。以下、各要素を説明する。
【００２７】
＜＜上部ベース材２０＞＞
図３（ａ）は表側から見た上部ベース材２０を、図３（ｂ）は裏側から見た上部ベース材２０を、それぞれ示している。上部ベース材２０は、図３（ａ）に示すように、上板２１と、上板２１の四隅端部から下方に延在する上部支持部２２を有している。上板２１は、後述する下部ベース材３０の下板３１と対向しており、上部支持部２２は、下部ベース材３０の下部支持部３２に連結される。上部ベース材２０と下部ベース材３０が連結されることにより、上部支持部２２と下部支持部３２の長さに相当する高さを有する、空調空気の流通する空間が成立する。ここでは、上部ベース材２０及び下部ベース材３０が略正方形に形成されており、それらの四隅端部に上部支持部２２及び下部支持部３２が設けられていることから、当該空間は４つの側方空間（側方面）を有することになる。
【００２８】
上部ベース材２０は、樹脂で成形されており、成形方法は、射出成形、ブロー成形、真空成形などいずれの方法によってもよい。フロアとしての強度維持を図るため、上板２１にはリブ構造２１１が設けられている。ここでは、リブ構造２１１が周辺部２１１ａとその中央に設けられた十字部２１１ｂに加え、同心円状の円弧部２１１ｃ、対角線状のＸ字部２１１ｄから構成された例を示しているが、その態様は図示されたものに限られない。例えば、十字部２１１ｂ、円弧部２１１ｃ、Ｘ字部２１１ｄをそれぞれ単独に設けてもよいし、それらを任意に組み合わせたものでもよい。
【００２９】
上板２１の四隅端部には、下方に向かって上部支持部２２が延在し、図３（ｂ）に示すように、この上部支持部２２の先端部の一部には、孔部２２３が形成されている。この上部支持部２２の孔部２２３は、後述する下部ベース材３０の下部支持部３２の先端部の一部に形成されている突起部３２３と嵌合するよう形成されており、孔部２２３と突起部３２３を嵌合させることにより上部ベース材２０と下部支持材３０は連結される。なお、孔部２２３と突起部３２３は、反転させて、突起部２２３と孔部３２３にしてもよく、要するにオスメスの関係になっていればよい。
【００３０】
また、上部支持部２２の外面（隣接する他のフロア部材１０に面する側面）には上部溝部２２１が形成されている。この上部溝部２２１は、後述する下部ベース材３０の下部支持部３２に同じく形成されている下部溝部３２１と連通するように形成されており、この上部溝部２２１と下部溝部３２１に後述する側部連結材５０を嵌入することにより、隣接するフロア部材１０同士を連結する。この側部連結材５０を介して隣接するフロア部材１０同士を連結することにより、空調流路の気密性を高めることができ、効率よくフロアの空調を行うことができる。
【００３１】
また、上板２１の四隅端部に設けた上部支持部２２には、天板挿入孔２２２が設けられており、天板材７０の天板支持部７２が挿入される。上部支持部２２に設けられる天板挿入孔２２２は、後述する下部支持部３２に設けられた天板挿入孔３２２に連通するように形成されることが好ましい。
【００３２】
また、上板２１の周辺部には、後述する側板材４０の上辺に形成される凸部４１に対応して凹部２１２が形成されており、この凹部２１２に側板材４０の凸部４１を嵌入し、上部ベース材２０に側板材４０の上辺を取り付けることにより、上板２１と下板３１との間に形成された側方空間を仕切り、空気流路を設定する。なお、下部ベース材３０の下板３１と側板材４０の下辺の取り付けについては、後述する。
【００３３】
＜＜下部ベース材３０＞＞
図４（ａ）は表側から見た下部ベース材３０を、図４（ｂ）は裏側から見た下部ベース材３０を、それぞれ示している。下部ベース材３０は、図４（ａ）に示すように、下板３１と、下板３１の四隅端部から上方に延在する下部支持部３２とを有している。下板３１は、前述した上部ベース材２０の上板２１と対向しており、下部支持部３２には、上部ベース材２０の上部支持部２２が連結される。
【００３４】
下部ベース材３０は、上部ベース材２０と同じように樹脂で成形されている。ここで、下部ベース材３０を裏返しにした状態を図４（ｂ）を参照して説明する。下板３１の底面には、図４（ｂ）に示すように、床下に配設される各種ケーブルの位置を整理するため、凹部構造３１１が設けられている。
【００３５】
また、下板３１の周辺部の底面には、前述の凹部構造３１１とは別に凸部構造３１２が設けられており、この凸部構造３１２には、後述する側板材４０の下辺に形成されるコの字状の凹部４３が嵌合される。凸部構造３１２の内側には、凹部４３の先端部４３ａが嵌合される被嵌合部３１２ａが設けられている。このように、凸部構造３１２を介して下部ベース材３０に側板材４０の下辺を取り付けることにより、上板２１と下板３１との間に形成された側方空間を仕切り、気密性が高い空気流路を設定することができる。
【００３６】
下部ベース材３０の下板３１には、その裏面から下方に延在する脚部３３が設けられている。図４（ｂ）では、正円形の輪郭を有する脚部３３を示している。もちろん脚部３３の断面形状はこれに限られない。例えば、上部ベース材２０の上部支持部２２と下部ベース材３０の下部支持部３２の位置関係によっては、脚部３３の断面形状を、正円の隅を切り取った異形の円形状や、正方形状などとしてもよい。
【００３７】
下部ベース材３０の下板３１には、空調空気を床下空間に流通させるため、切り抜き可能に形成された空気孔部３４を設けるように構成してもよい。従来の長手方向に所定の長さを有する下側の床ダクト材では、空気孔部３４を設けた床ダクト材を個別に製造しなければならないが、本実施形態では、空気孔部３４を切り抜き可能なフロア部材１０とすることから、フロアの空調構造１の施工現場において下部ベース材３０の下板３１を切り抜くことにより、所望の箇所に空気孔部３４を容易に設定することが可能となる。
【００３８】
図４（ａ）に戻り、下板３１の四隅端部には、上方に向かって下部支持部３２が延在しており、この下部支持部３２の先端部の一部には、前述した上部支持部２２の先端部の一部に形成された孔部２２３と嵌合するように、突起部３２３が形成されている。なお、前述のとおり、孔部２２３と突起部３２３は、反転させて、突起部２２３と孔部３２３にしてもよよく、要するにオスメスの関係になっていればよい。
【００３９】
また、下部支持部３２の外面（隣接する他のフロア部材１０に面する側面）には下部溝部３２１が形成されており、この下部溝部３２１には、前述した上部溝部２２１と貫通するように、側部連結材５０が嵌入される。また、下板３１の四隅端部に設けた下部支持部３２には、前述した上部支持部２２に形成された天板挿入孔２２２と連通するように天板挿入孔３２２が設けられることが好ましい。そうすると、天板材７０の天板支持部７２は、上部支持部２２を通じて下部支持部３２まで挿入される。これにより、上部ベース材２０と下部支持材３０の連結強度を高めるとともに、フロア部材１０としての強度を高めることができる。
【００４０】
＜＜側板材４０＞＞
図５（ａ）は外側から見た側板材４０を、図５（ｂ）は内側から見た側板材３０を、それぞれ示している。側板材４０は、図２に示すように、上部ベース材２０の上板２１と、下部ベース材３０の下板３１との間に形成された４つの側方空間のうち所望の側方空間を仕切るものである。側板材４０によって４つの側方空間のいずれかを仕切ることにより、空調空気の流路を自由に設定することができる。
【００４１】
側板材４０は、樹脂で成形されており、図中、左上側にあたる長手方向上辺が上部ベース材２０の側に、右下側にあたる長手方向下辺が下部ベース材３０の側に位置する。側板材４０は、上部ベース材２０の上板２１と、下部ベース材３０の下板３１とが形成する側方空間に対応する箱型形状をしており、側板材４０の長手方向上辺には上板２１の辺部に形成される凹部２１２に対応する形状の凸部４１が設けられており、長手方向下辺には下板３１の辺部に設けられた凸部構造３１２に嵌合するコの字状の凹部４３が設けられている。凹部４３の先端部４３ａは、下板３１の凸部構造３１２の被嵌合部３１２ａに嵌合される。なお、側板材４０の凸部４１及び凹部４３、それらに対応する上部ベース材２０の上板２１及び下部ベース材３０の下板３１は、それぞれ上下逆に設けても差し支えない。
【００４２】
側板材４０を上部ベース材２０と下部ベース材３０が形成する枠材に取り付けること、言い換えれば、側板材４０の凸部４１及び凹部４３を、上板２１の凹部２１２及び下板３１の凸部構造３１２に嵌入することにより、所望の側方空間を高気密で仕切ることができるため、空調空気の流路を自由に設定することができるとともに、効率よいフロア空調が可能となる。
【００４３】
＜＜側部連結材５０＞＞
図６は、側部連結材５０を示している。側部連結材５０は、図６に示すように、樹脂で成形された板状部材であり、隣接するフロア部材１０同士を連結するとともに、隣接するフロア部材１０同士が形成する空気流路（フロア部材１０同士が接する側方空間側部）の気密性を高める役割を有する。側部連結材５０は、前述したように、上部支持部２２の上部溝部２２１と下部支持部３２の下部溝部３２１を貫通して嵌入され、その幅方向の一方の半分が、あるフロア部材１０の上部ベース材２０と下部ベース材３０を連結するとともに、他方の半分は、隣接するフロア部材１０の上部ベース材２０と下部ベース材３０連結する。これにより、隣接するフロア部材１０同士が、側部連結材５０を介して、連結されることとなる。
【００４４】
このように、上部支持部２２と下部支持部３２の外側に設けられた上部溝部２２１と下部溝部３２１に側部連結材５０を嵌入して隣接するフロア部材１０同士を側部連結材５０を介して連結することから、フロア部材１０を組み立ててフロアの空調構造１を構成するにあたり、その施工性及び空気流路の気密性を向上させることができる。なお、側部連結材５０の長手方向縦辺を、側方空間縦方向の長さ相当に形成し、かつパッキンを付与しておくことにより、空気流路の気密性をより向上させることができる。
【００４５】
＜＜下部連結材６０＞＞
図７（ａ）は下部連結材６０のみを、図７（ｂ）は下部連結材６０にパッキン材６３を付与した状態を、それぞれ示している。下部連結材６０は、図７（ａ）に示すように、樹脂で成形された角形部材であり、隣接するフロア部材１０同士が形成する空気流路（側方空間下部）、言い換えれば、下板３１と側板材４０が接する部分の気密性を高める効果を奏するために、当該接部を覆うように形成されている。すなわち、凸部６１は、下部ベース材３０の下板３１の凹部構造３１１及び側板材４０の切り欠き４２に対応し、凹部６２は、下部ベース材３０の下板３１の凸部構造３１２及び側板材４０の凹部４３に対応して、間隙を埋めるように形成されている。下部連結材６０の両端６３は、脚部３３に対応できるように円弧状に形成されている。下部連結材６０は、図７（ｂ）に示すように、パッキン材６３を付与しておくことにより、下板３１の下方の床下を仕切ることによって、床下に流された空調空気の流れも規制することも可能となる。
【００４６】
＜＜天板材７０＞＞
図８は、天板材を示している。天板材７０は、図８に示すように、上部ベース材２０の上板２１を覆う天板７１と、天板７１から下方に延在する天板支持部７２とを有している。天板７０は、隣接するフロア部材１０同士が形成する空気流路（側方空間上部）、言い換えれば、上板２１と側板材４０が接する部分の気密性を高める効果を奏するために、当該接部を覆うように形成されている。すなわち、天板７０は、下方に向けて屈曲された辺端部７３を有することが好ましい。この辺端部７３は、気密性の向上の他に、フロアとしての強度を付与するという効果も奏する。
【００４７】
天板支持部７２は、上部ベース材２０の上部支持部２２に設けられている天板挿入孔２２２に挿入される。好ましくは、天板支持部７２は、上部ベース材２０の上部支持部２２に設けられている天板挿入孔２２２と連通する下部ベース材３０の下部支持部３２に設けられた天板挿入孔３２２まで挿入され、このような態様を採ることにより、上部ベース材２０と下部ベース材３０の連結強度を高めるとともに、フロアとしての強度も高める効果が得られる。天板材７０は、鉄板などの金属で形成されており、フロアとしての強度を付与する。また、フロアの空調構造１の施工時に、空調空気の流路をどのように設定したかが目視できるようにする効果も奏する。
【００４８】
＜＜ベース材の変形例＞＞
上記では、上部ベース材２０と下部ベース材３０を連結してフロア部材１０を構成する態様について説明したが、上部ベース材２０と下部ベース材３は、互いに一体化されたベース材２０３０として構成してもよい。その際は、上部支持部２２と下部支持部３２は１つの支持部２２３２として構成されることとなり、天板挿入孔２２２と天板挿入孔３２２、上部溝部２２１と下部溝部３２１も、１つの天板挿入孔、溝部として構成される。
【００４９】
＜フロアの空調構造の配置例＞
フロア部材１０を上記のように構成したことにより、フロアの空調構造１は、所望の配列を任意に設定することができる。図９から図１１に各種コーナーを形成した例を示す。図９はＬ字、図１０はＴ字、図１１は十字のコーナーをそれぞれ示している。なお、図９から図１１において、各図の（ａ）は表側から見た図を、（ｂ）は裏側から見た図を、それぞれ示しており、また、フロア部材１０以外の場所に空調空気の流路を構成しないフロア敷詰材Ｆを図示している。図１２は、これらのコーナーを含めたフロアの空調構造１の全体の例を示している。図中、白色のマス目が空調空気の流路に対応するフロア部材１０であり、黒色のマス目がフロア敷詰材Ｆを示している。
【００５０】
＜空調空気の流れ＞
最後に、図１３を用いて、空調空気の流れの一例を説明する。図１３（ａ）に示すように、空調機（不図示）によって調和された空調空気は、壁Ｗの下部に設けられた吹き出し口Ｗ１から吹き出し、図示した矢印にしたがってフロア部材１０に流入する。白抜きのラインが空調空気の流路に対応するフロア部材１０である。右側に囲った図１３（ｂ）は、空調空気の流路とはならない部分に還流口Ｗ２を設けた例を示しており、室内の空気は、この還流口Ｗ２から吸い込まれて空調機（不図示）に還流していく。
【００５１】
（実施形態の効果）
本実施形態は、フロア部材１０を上部ベース材２０と下部ベース材３０を備えるユニットとし、その側方空間を側板材４０で任意に仕切ることにより、所望の流路を有するフロアの空調構造１を得ることができる。特に、１種類のフロア部材１０を用いて、床下空間が比較的狭い床構造においても空調空気の流路を自由に形成可能であり、施工性、コストの面でも有利なフロア部材１０及びそれを用いたフロアの空調構造１を提供することができる。
【００５２】
以上、実施形態について説明したが、本発明は、具体的な実施形態に限定されるものではなく、種々の変更を行ったものも含まれるものであり、そのことは、当業者にとって特許請求の範囲の記載から明らかである。
【符号の説明】
【００５３】
１…フロアの空調構造
１０…フロア部材
２０…上部ベース材
２１…上板
２１１…リブ構造
２１２…凹部
２２…上部支持部
２２１…上部溝部
２２２…天板挿入孔
２２３…孔部（又は突起部）
３０…下部ベース材
３１…下板
３１１…凹部構造
３１２…凸部構造
３１２ａ…被嵌合部
３２…下部支持部
３２１…下部溝部
３２２…天板挿入孔
３２３…突起部（又は孔部）
３３…脚部
３４…空気孔部
４０…側板材
４１…凸部
４２…切り欠き
４３…凹部（コの字状の）
５０…側部連結材
６０…下部連結材
７０…天板材
７１…天板
７２…天板支持部
７３…辺端部
８０…脚部連結材
８１…脚挿入口
Ｗ…壁
Ｗ１…吹き出し口
Ｗ２…還流口
Ｆ…フロア敷詰材
【図１】
2018028423.tif 000003
【図２】
2018028423.tif 000004
【図３】
2018028423.tif 000005
【図４】
2018028423.tif 000006
【図５】
2018028423.tif 000007
【図６】
2018028423.tif 000008
【図７】
2018028423.tif 000009
【図８】
2018028423.tif 000010
【図９】
2018028423.tif 000011
【図１０】
2018028423.tif 000012
【図１１】
2018028423.tif 000013
【図１２】
2018028423.tif 000014
【図１３】
2018028423.tif 000015